(57)【特許請求の範囲】
【請求項１】
底部を有する筐体と、
前記底部に整列配置される、光を出射する複数の発光部と、
各発光部の周囲に設けられ、前記発光部から出射された光を被照射体に向けて反射させる反射部材であって、発光部の光軸に対して所定の角度で傾斜して延在し、発光部を囲繞する第１反射部を有する反射部材と、を備え、
隣り合う反射部材において、第１反射部の互いに対向する領域部分同士は、前記底部の中央部に対して近い位置に配置される第１反射部の領域部分よりも、前記底部の中央部に対して遠い位置に配置される第１反射部の領域部分が、前記光軸方向に投影したときの投影面積が大きく、
前記底部は前記光軸方向に見たときの外形状が多角形状であり、
該多角形の角部に配置される発光部を囲繞する第１反射部の複数の領域部分のそれぞれが、前記光軸方向に投影したときの投影面積が最大であることを特徴とする照明装置。
【請求項２】
各反射部材における第１反射部の、前記光軸方向に投影したときの投影面積は、前記底部の中央部から縁端部に向かうにつれて、段階的に大きくなることを特徴とする請求項１に記載の照明装置。
【請求項３】
隣り合う反射部材において、第１反射部の互いに対向する領域部分同士は、前記底部の中央部に対して近い位置に配置される第１反射部の領域部分よりも、前記底部の中央部に対して遠い位置に配置される第１反射部の領域部分が、前記光軸方向に対する傾斜角度が大きくなるように設定されていることを特徴とする請求項１または２に記載の照明装置。
【請求項４】
前記反射部材は、前記光軸に垂直な方向に延在し、前記光軸方向に見たときの外形状が多角形状である第２反射部をさらに有し、
前記第１反射部は、前記第２反射部の辺部分に連なって延在することを特徴とする請求項１〜３のいずれか１つに記載の照明装置。
【請求項５】
表示パネルと、
前記表示パネルに光を照射する、請求項１〜４のいずれか１つに記載の照明装置とを備えることを特徴とする表示装置。
【発明の詳細な説明】
【技術分野】
【０００１】
本発明は、表示パネルの背面に光を照射する照明装置、および、この照明装置を備える表示装置に関する。
【背景技術】
【０００２】
表示パネルは、２枚の透明基板の間に液晶が封入され、電圧が印加されることにより液晶分子の向きが変えられ光透過率を変化させることで予め定められた映像などが光学的に表示される。この表示パネルには、液晶自体が発光体ではないので、たとえば透過型の表示パネルの背面側に冷陰極管（ＣＣＦＬ）、発光ダイオード（ＬＥＤ：Light Emitting 
Diode）などを光源とした光を照射するバックライトユニットが備えられる。
【０００３】
バックライトユニットには、冷陰極管やＬＥＤなどの光源を底面に並べて光を出す直下型と、冷陰極管やＬＥＤなどの光源を導光板と呼ばれる透明な板のエッジ部に配して、導光板エッジから光を通して背面に設けられたドット印刷やパターン形状によって前面に光を出すエッジライト型とがある。
【０００４】
ＬＥＤは、低消費電力、長寿命、水銀を使わないことによる環境負荷低減などの優れた特性を有するが、価格的に高価であることと、青色発光ＬＥＤが発明されるまでは白色発光ＬＥＤは無かったことと、更に、強い指向性を有していることから、バックライトユニットの光源としての利用が遅れていた。しかしながら近年、照明用途で高演色高輝度白色ＬＥＤが急速に普及しており、それに伴ってＬＥＤが安価になってきているので、バックライトユニットの光源としては、冷陰極管からＬＥＤへの移行が進んでいる。
【０００５】
ＬＥＤは強い指向性を有するので、表示パネルの表面の輝度がその面方向において均一となるように光を照射するという観点では、直下型よりもエッジライト型が有効である。しかしながら、エッジライト型のバックライトユニットは、導光板のエッジ部に集中して光源が配置されることにより光源によって生じた熱が集中するという問題とともに、表示パネルのベゼル部が大きくなるという問題が生じる。さらに、エッジライト型のバックライトユニットは、表示画像の高品質化および省電力化が可能な制御方法として注目されている部分的な調光制御（ローカルディミング）についても制約が大きく、表示画像の高品質化および省電力化が達成可能な小分割領域の制御ができないという問題がある。
【０００６】
そこで、部分的な調光制御に有利な直下型のバックライトユニットにおいて、強い指向性を有するＬＥＤを光源として用いた場合であっても、輝度が均一となるように、光を表示パネルに照射することが可能な方法の検討が進められている。
【０００７】
たとえば、特許文献１，２には、光を出射する複数のＬＥＤが整列配置される発光部と、各ＬＥＤの周囲に設けられ、光を反射する複数のリフレクタとを備えるバックライトユニットが開示されている。各ＬＥＤに対応する各リフレクタは、ＬＥＤの下部に設けられる底部と、該底部の縁端部に連なり、ＬＥＤを取り囲む側壁部とを有する。特許文献１，２に開示されるバックライトユニットは、リフレクタによって、ＬＥＤから出射された光を反射させ、表示パネルの輝度の均一化を図っている。
【先行技術文献】
【特許文献】
【０００８】
【特許文献１】特表２００８−５４２９９４号公報
【特許文献２】特開２００４−６３１７号公報
【発明の概要】
【発明が解決しようとする課題】
【０００９】
複数のＬＥＤが整列配置されるバックライトユニットにおいて、たとえば１つのＬＥＤに注目した場合、表示パネルの面方向における端部に対応した１つのＬＥＤが、表示パネルの面方向における中央部に対応した１つのＬＥＤよりも、隣接するＬＥＤの数が少ない。
【００１０】
特許文献１，２に開示されるバックライトユニットでは、各ＬＥＤに対応した各リフレクタは、それぞれ同じ形状かつ同じ大きさに形成されているので、各リフレクタによって反射される光の量は、それぞれ同じである。そのため、各リフレクタによって反射されて表示パネルに到達する光の量は、表示パネルの面方向において、１つのＬＥＤに対して隣接するＬＥＤの数の少ない端部が中央部よりも少なく、その結果、表示パネルの面方向における輝度が不均一になってしまうという課題がある。
【００１１】
本発明は、このような課題を解決するものであり、被照射体の面方向における輝度が均一となるように、光を被照射体に照射することができる照明装置、および、この照明装置を備える表示装置を提供することを目的とする。
【課題を解決するための手段】
【００１２】
本発明は、底部を有する筐体と、
前記底部に整列配置される、光を出射する複数の発光部と、
各発光部の周囲に設けられ、前記発光部から出射された光を被照射体に向けて反射させる反射部材であって、発光部の光軸に対して所定の角度で傾斜して延在し、発光部を囲繞する第１反射部を有する反射部材と、を備え、
隣り合う反射部材において、第１反射部の互いに対向する領域部分同士は、前記底部の中央部に対して近い位置に配置される第１反射部の領域部分よりも、前記底部の中央部に対して遠い位置に配置される第１反射部の領域部分が、前記光軸方向に投影したときの投影面積が大きく、
前記底部は前記光軸方向に見たときの外形状が多角形状であり、
該多角形の角部に配置される発光部を囲繞する第１反射部の複数の領域部分のそれぞれが、前記光軸方向に投影したときの投影面積が最大であることを特徴とする照明装置である。
【００１３】
また本発明の照明装置において、各反射部材における第１反射部の、前記光軸方向に投影したときの投影面積は、前記底部の中央部から縁端部に向かうにつれて、段階的に大きくなることを特徴とする。
【００１４】
また本発明の照明装置では、隣り合う反射部材において、第１反射部の互いに対向する領域部分同士は、前記底部の中央部に対して近い位置に配置される第１反射部の領域部分よりも、前記底部の中央部に対して遠い位置に配置される第１反射部の領域部分が、前記光軸に対する傾斜角度が大きくなるように設定されていることを特徴とする。
【００１５】
また本発明の照明装置において、前記反射部材は、前記光軸に垂直な方向に延在し、前記光軸方向に見たときの外形状が多角形状である第２反射部をさらに有し、
前記第１反射部は、前記第２反射部の辺部分に連なって延在することを特徴とする。
【００１６】
また本発明は、表示パネルと、
前記表示パネルに光を照射する、前記照明装置とを備えることを特徴とする表示装置である。
【発明の効果】
【００１７】
本発明によれば、照明装置は、筐体の底部に整列配置される複数の発光部と、各発光部の周囲に設けられ、発光部から出射された光を被照射体に向けて反射する反射部材とを備える。反射部材は、第１反射部を有し、その第１反射部は、発光部を囲繞し、発光部の光軸に対して所定の角度で傾斜して延在する。そして、隣り合う反射部材において、第１反射部の互いに対向する領域部分同士は、前記底部の中央部に対して近い位置に配置される第１反射部（中央部近接側第１反射部）の領域部分よりも、前記底部の中央部に対して遠い位置に配置される第１反射部（中央部離反側第１反射部）の領域部分が、前記光軸方向に投影したときの投影面積が大きくなるように設定されている。
【００１８】
本発明の照明装置では、隣り合う反射部材において、第１反射部の互いに対向する領域部分で、前記光軸方向に投影したときの投影面積が、中央部近接側第１反射部の領域部分よりも、中央部離反側第１反射部の領域部分の方が大きいので、各発光部に対応する反射部材によって反射される光の量は、中央部近接側第１反射部に対応する反射部材よりも中央部離反側第１反射部に対応する反射部材の方が多くなる。
【００１９】
したがって、各発光部に対応する各反射部材によって反射されて被照射体に到達する光の量が、被照射体の面方向において、１つの発光部に対して隣接する発光部の数の少ない端部が中央部よりも少なくなることを抑制することができる。すなわち、各発光部に対応する各反射部材によって反射されて被照射体に到達する光の量を、被照射体の面方向において均一にすることができ、その結果、被照射体の面方向における輝度を均一にすることができる。
【００２０】
また本発明によれば、各反射部材における第１反射部の、前記光軸方向に投影したときの投影面積は、底部の中央部から縁端部に向かうにつれて、段階的に大きくなるように設定されている。これによって、各発光部に対応する各反射部材によって反射されて被照射体に到達する光の量を、被照射体の面方向においてより効果的に均一にすることができ、その結果、被照射体の面方向における輝度を均一にすることができる。
【００２１】
また本発明によれば、隣り合う反射部材において、第１反射部の互いに対向する領域部分同士は、底部の中央部に対して近い位置に配置される第１反射部（中央部近接側第１反射部）の領域部分よりも、底部の中央部に対して遠い位置に配置される第１反射部（中央部離反側第１反射部）の領域部分が、前記光軸に対する傾斜角度が大きくなるように設定されている。これによって、隣り合う反射部材において、第１反射部の互いに対向する領域部分で、前記光軸方向に投影したときの投影面積が、中央部近接側第１反射部の領域部分よりも、中央部離反側第１反射部の領域部分の方が大きくなるように設定することができる。そのため、各発光部に対応する反射部材によって反射される光の量を、中央部近接側第１反射部に対応する反射部材よりも中央部離反側第１反射部に対応する反射部材の方を多くすることができる。
【００２２】
また本発明によれば、各反射部材は、前記光軸に垂直な方向に延在し、前記光軸方向に見たときの外形状が多角形状である第２反射部をさらに有する。この第２反射部を有する反射部材では、第１反射部は、前記第２反射部の辺部分に連なって延在するように設けられる。これによって、発光部から出射された光は、反射部材の第１反射部および第２反射部によって反射されるので、発光部から出射された光を効率よく被照射体に照射することができる。
【００２３】
また本発明によれば、表示装置は、面方向において強度が均一化された光を表示パネルに照射することができる、本発明に係る照明装置を備えているので、輝度むらなどの発生がなく、高画質画像を表示パネルに表示することができる。
【図面の簡単な説明】
【００２４】
【図１】本発明の一実施形態に係る液晶表示装置１００を分解して示す図である。
【図２】液晶パネル２側から拡散板３およびバックライトユニット１を平面視したときの様子を示す図である。
【図３】プリント基板１２が、フレーム部材１３の底部１３１に固定されている様子を示す図である。
【図４】プリント基板１２とフレーム部材１３の底部１３１とを分解して示す図である。
【図５】プリント基板１２の平面図である。
【図６】基台１１１ｂに支持されたＬＥＤチップ１１１ａとレンズ１１２との位置関係を示す図である。
【図７】基台１１１ｂとＬＥＤチップ１１１ａとを示す図である。
【図８】プリント基板１２に実装されるＬＥＤチップ１１１ａおよび基台１１１ｂを示す図である。
【図９】ＬＥＤチップ１１１ａから出射された光の光路を模式的に示す図である。
【図１０】液晶パネル２側から発光装置１１を平面視したときの一部を拡大して示す図である。
【図１１】図２および図１０に示す線Ａ−Ａで切断したときの液晶表示装置１００の断面図である。
【図１２】反射部材１１８の構成を示す断面図である。
【図１３】反射部材の他の例である反射部材１１８Ａの構成を示す断面図である。
【発明を実施するための形態】
【００２５】
以下に、本発明の実施形態であるバックライトユニット１を備える液晶表示装置１００について説明する。図１は、本発明の一実施形態に係る液晶表示装置１００を分解して示す図である。液晶表示装置１００は、バックライトユニット１と、液晶パネル２と、拡散板３とを備える。
【００２６】
液晶パネル２は、２枚の基板を含み、矩形平板状に構成される。液晶パネル２は、バックライトユニット１が備える筐体であるフレーム部材１３の底部１３１の底面１３１ａと液晶パネル２の主面とが略平行になるように、フレーム部材１３の側壁部１３２によって支持される。液晶パネル２は、ＴＦＴ（thin film transistor）などのスイッチング素子を含み、２枚の基板の隙間には液晶が注入されている。また、この２枚の基板には、画素の駆動制御用のドライバ（ソースドライバ）、種々の素子および配線が設けられている。このように構成される液晶パネル２は、バックライトユニット１から光が照射されることによって、主面の１つである表示画面２ａに画像を表示する。
【００２７】
拡散板３は、矩形平板状の部材である。拡散板３は、液晶パネル２とバックライトユニット１との間において、液晶パネル２の主面と拡散板３の主面とが平行になるように、フレーム部材１３の側壁部１３２によって支持される。拡散板３は、バックライトユニット１から照射される光を、拡散板３の面方向に拡散することによって、表示画面２ａの輝度が局所的に偏ることを防止する。
【００２８】
本発明の他の実施形態としては、液晶パネル２と拡散板３との間に、プリズムシートを配置してもよい。プリズムシートは、拡散板３を介して到達した光の進行方向を、液晶パネル２の厚み方向に変換し、表示画面２ａの輝度を向上させる。
【００２９】
図２に、液晶パネル２側から拡散板３およびバックライトユニット１を平面視したときの様子を示す。バックライトユニット１は、液晶パネル２に対して、表示画面２ａとは反対側の主面である背面側から光を照射する直下型の照明装置である。バックライトユニット１は、発光部１１１および反射部材１１８をそれぞれ有する複数の発光装置１１と、複数のプリント基板１２と、フレーム部材１３とを含む。
【００３０】
なお、図２では、バックライトユニット１において複数の発光装置１１はマトリクス状に配置され、そのマトリクス状の配列における行方向に発光装置１１が７個配置され、列方向に１２個配置された状態を図示しているが、発光装置１１の配置個数はこれに限定されるものではない。図２では、発光装置１１は、マトリクス状の配列における行方向に７個、列方向に１２個配置されているけれども、本実施形態では、発光装置１１は、行方向に１４個、列方向に２４個配置されている。
【００３１】
フレーム部材１３は、液晶パネル２と予め定められた間隔をあけて対向する平板状の底部１３１と、底部１３１に連なり底部１３１から立ち上がる４つの側壁部１３２とからなる。底部１３１は、厚み方向に見たときの形状が矩形状であり、その大きさは液晶パネル２よりも少し大き目である。側壁部１３２は、底部１３１のうち、厚み方向に見たときに矩形の短辺をなす２つの端部と、長辺をなす２つの端部とから、液晶パネル２に向かって、それぞれ立ち上がって形成される。フレーム部材１３の厚みは、たとえば０．８ｍｍ〜１．０ｍｍである。
【００３２】
図３に、プリント基板１２が、フレーム部材１３の底部１３１に固定されている様子を示す。また、図４に、プリント基板１２とフレーム部材１３の底部１３１とを分解して示す。さらに、図５に、プリント基板１２の平面図を示す。
【００３３】
プリント基板１２は、フレーム部材１３の底部１３１の底面１３１ａに固定される。プリント基板１２の実装面１２ａには、複数の発光部１１１が設けられる。プリント基板１２は、略長方形板状の部材であり、幅がたとえば１０ｍｍであり、厚みがたとえば０．８ｍｍである。複数のプリント基板１２は、幅方向に並列し、たとえば３０ｍｍ離間してそれぞれ設けられる。
【００３４】
プリント基板１２は、たとえば、導電パターンが両面に印刷されたガラスエポキシからなる基板である。プリント基板１２は、フレーム部材１３の側壁部１３２まで延びて設けられ、側壁部１３２に設けられる、プリント基板１２に電力を供給するためのコネクタ１３２ａと、プリント基板１２の導電パターンとが接続される。プリント基板１２上の各発光部１１１は、コネクタ１３２ａおよび導電パターンを介して電力が供給される。
【００３５】
プリント基板１２は、位置決め用丸孔１２ｂと、位置決め用長孔１２ｃと、複数の固定用長孔１２ｄとが形成されている。位置決め用丸孔１２ｂおよび位置決め用長孔１２ｃには、フレーム部材１３の底部１３１の底面１３１ａに形成される、位置決め用突起部１３１ｂ，１３１ｃがそれぞれ挿通される。固定用長孔１２ｄには、固定用ピン１２ｅが挿通され、この固定用ピン１２ｅは、ピン受け部材１２ｆを介して、フレーム部材１３の底部１３１に形成される固定用孔１３１ｄ内に固定される。
【００３６】
図２に示すように、複数の発光装置１１は、マトリクス状に整列配置される。各発光装置１１は、フレーム部材１３の底部１３１の底面１３１ａに垂直な方向（Ｘ方向）に平面視したときに正方形に形成され、この正方形の一辺の長さは、たとえば５５ｍｍである。各発光装置１１は、液晶パネル２における、この正方形に対向する領域の光量が、たとえば６０００ｃｄ／ｍ２となるように設計される。
【００３７】
発光装置１１は、被照射体である液晶パネル２に向けて光を出射する発光部１１１と、発光部１１１の周囲に設けられ、発光部１１１から出射された光を液晶パネル２に向けて反射する反射部材１１８とを含む。反射部材１１８は、発光部１１１を囲繞し、その発光部１１１の光軸Ｓに対して所定の角度で傾斜して延在する第１反射部である副反射部１１８２を含んで構成されていればよい。本実施形態では、反射部材１１８は、Ｘ方向に垂直な方向に延在し、Ｘ方向に見たときの外形状が多角形状の平板である第２反射部となる主反射部１１８１と、主反射部１１８１に連なり、主反射部１１８１の主面に対して傾斜して延在する主面を有する平板である副反射部１１８２とを含む。反射部材１１８の詳細については、後述する。
【００３８】
発光部１１１は、発光ダイオード（ＬＥＤ）チップ１１１ａと、ＬＥＤチップ１１１ａを支持する基台１１１ｂと、レンズ１１２とを含む。図６は、基台１１１ｂに支持されたＬＥＤチップ１１１ａとレンズ１１２との位置関係を示す図である。基台１１１ｂは、ＬＥＤチップ１１１ａを支持するための部材である。基台１１１ｂは、ＬＥＤチップ１１１ａを支持する支持面が、Ｘ方向に平面視したときに正方形に形成され、正方形の一辺の長さＬ１は、たとえば３ｍｍである。また、基台１１１ｂのＸ方向長さは、たとえば１ｍｍである。
【００３９】
図７は、基台１１１ｂとＬＥＤチップ１１１ａとを示す図であり、図７（ａ）が平面図であり、図７（ｂ）が正面図であり、図７（ｃ）が底面図である。基台１１１ｂは、セラミックス、樹脂などからなる基台本体１１１ｇと、基台本体１１１ｇに設けられる２つの電極１１１ｃとを含んでおり、ＬＥＤチップ１１１ａは、基台１１１ｂの支持面となる基台本体１１１ｇの上面の中央部に、接着部材１１１ｆで固定されている。２つの電極１１１ｃは、互いに離間しており、それぞれ、基台本体１１１ｇの上面、側面、および底面にわたって設けられる。
【００４０】
２つの電極１１１ｃと、ＬＥＤチップ１１１ａの図示しない２つの端子とが、２つのボンディングワイヤ１１１ｄによってそれぞれ接続される。そして、ＬＥＤチップ１１１ａおよびボンディングワイヤ１１１ｄは、シリコン樹脂などの透明樹脂１１１ｅによって封止される。
【００４１】
図８に、プリント基板１２に実装されるＬＥＤチップ１１１ａおよび基台１１１ｂを示す。ＬＥＤチップ１１１ａは、基台１１１ｂを介してプリント基板１２に実装され、プリント基板１２から液晶パネル２へ向かう方向に光を出射する。ＬＥＤチップ１１１ａの光軸Ｓの方向は、Ｘ方向である。ＬＥＤチップ１１１ａは、発光装置１１をＸ方向に平面視したときに、基台１１１ｂの中央部に位置する。複数の発光装置１１において、それぞれのＬＥＤチップ１１１ａによる光の出射の制御は、互いに独立して制御可能である。これによって、バックライトユニット１は、部分的な調光制御（ローカルディミング）が可能である。
【００４２】
プリント基板１２へＬＥＤチップ１１１ａおよび基台１１１ｂを実装するときは、まず、プリント基板１２が備える導電パターンの２つの接続端子部１２１の上に、それぞれ、はんだを付け、そのはんだに、基台本体１１１ｇの底面に設けられる２つの電極１１１ｃがそれぞれ合致するように、たとえば図示しない自動機によって、プリント基板１２に、基台１１１ｂおよび基台１１１ｂに固定されているＬＥＤチップ１１１ａを載せる。基台１１１ｂおよび基台１１１ｂに固定されているＬＥＤチップ１１１ａを載せたプリント基板１２は、赤外線を照射するリフロー槽に送られ、はんだは約２６０℃に熱せられ、基台１１１ｂとプリント基板１２とがはんだ付けされる。
【００４３】
図６に示すレンズ１１２は、ＬＥＤチップ１１１ａおよびＬＥＤチップ１１１ａを支持する基台１１１ｂを覆うように、基台１１１ｂに当接して設けられ、ＬＥＤチップ１１１ａから出射された光を、ＬＥＤチップ１１１ａの光軸Ｓに交差する複数の方向に反射または屈折させる。レンズ１１２は、透明なレンズであり、たとえばシリコン樹脂やアクリル樹脂などからなる。
【００４４】
レンズ１１２において、液晶パネル２に対向する面である上面１１２ａは、中央部に凹みを有して湾曲して形成される。また、側面１１２ｂは、ＬＥＤチップ１１１ａの光軸Ｓの方向を軸線方向とする円柱の側面状に形成される。
【００４５】
レンズ１１２は、光軸Ｓ回りに回転対称に形成される。レンズ１１２において、光軸Ｓに直交する断面の直径Ｌ２は、たとえば１０ｍｍである。レンズ１１２は、基台１１１ｂに対して外方に延出して設けられている。すなわち、レンズ１１２は、ＬＥＤチップ１１１ａの光軸Ｓに垂直な方向に関して基台１１１ｂよりも大きい（レンズ１１２の直径Ｌ２は、基台１１１ｂの支持面の一辺の長さＬ１よりも大きい）。このように、レンズ１１２が基台１１１ｂに対して外方に延出して設けられることによって、ＬＥＤチップ１１１ａから出射された光をレンズ１１２により広範囲に拡散させることができる。また、レンズ１１２の高さＨ１は、たとえば１．５ｍｍであり、直径Ｌ２よりも小さい。すなわち、レンズ１１２は、ＬＥＤチップ１１１ａの光軸Ｓに垂直な方向の最大長さが、高さＨ１よりも大きい。
【００４６】
上記のように、直径Ｌ２を高さＨ１よりも大きくするのは、バックライトユニット１の薄型化と液晶パネル２への光の均一照射のためである。バックライトユニット１を薄型化するためには、レンズ１１２の高さＨ１を小さく、すなわち、レンズ１１２を極力薄くする必要がある。しかしながら、レンズ１１２を薄くすると、液晶パネル２の背面に照度むらが発生し易くなり、その結果、液晶パネル２の表示画面２ａに輝度むらが発生し易くなる。特に、隣接するＬＥＤチップ１１１ａの間の距離が長い場合、液晶パネル２の背面の、隣接するＬＥＤチップ１１１ａの間となる部分は、２つのＬＥＤチップ１１１ａから遠く離れており、照射光量が少なくなるので、その部分とＬＥＤチップ１１１ａに対向する部分との間で、照度むら（輝度むら）が生じ易くなる。ＬＥＤチップ１１１ａから照射された光を、レンズ１１２を介して、ＬＥＤチップ１１１ａから遠く離れた領域に照射させるには、レンズ１１２の直径Ｌ２をある程度大きくする必要があり、本実施形態では、レンズ１１２の直径Ｌ２を、高さＨ１よりも大きくすることで、バックライトユニット１の薄型化と液晶パネル２への光の均一照射とを可能にしている。
【００４７】
なお、仮に、レンズ１１２の高さＨ１よりも、レンズ１１２の直径Ｌ２を小さくした場合、バックライトユニット１の薄型化および均一照射が困難となるばかりでなく、ＬＥＤチップ１１１ａに合わせてレンズ１１２を成形するインサート成形において、バランスが悪くなり易いという課題が生じる。また、ＬＥＤチップ１１１ａおよび基台１１１ｂと、インサート成形されたレンズ１１２とからなる発光部１１１をプリント基板１２にはんだ付けする際に、バランスを崩し易く、組立上にも課題が生じる。
【００４８】
レンズ１１２の上面１１２ａは、ＬＥＤチップ１１１ａに対向し、かつ、拡散板３の主面に平行な中央部分１１２１と、中央部分１１２１を取り囲む第１湾曲部分１１２２と、第１湾曲部分を取り囲む第２湾曲部分１１２３とを含む。レンズ１１２の表面において、上面１１２ａの中央部分１１２１および第２湾曲部分１１２３ならびに側面１１２ｂは、ＬＥＤチップ１１１ａから出射され、レンズ１１２の内部を通って到達した光を透過する透過領域となる。また、上面１１２ａの第１湾曲部分１１２２は、ＬＥＤチップ１１１ａから出射され、レンズ１１２の内部を通って到達した光を側面１１２ｂに向けて反射する反射領域となる。
【００４９】
上面１１２ａの中央部分１１２１は、上面１１２ａの中央において、中央部分１１２１の中心（すなわち、レンズ１１２の光軸）が、ＬＥＤチップ１１１ａの光軸Ｓ上に位置するように形成される。上面１１２ａの中央部分１１２１は、ＬＥＤチップ１１１ａの発光面に平行であり、円形状に形成され、その円形状の直径Ｌ３は、たとえば１ｍｍである。なお、本発明の他の実施形態としては、中央部分１１２１の形状を、上記円形状の代わりに、上記円形状の底面を有し、ＬＥＤチップ１１１ａに向かって突出する仮想的な円錐の側面形状にしてもよい。
【００５０】
中央部分１１２１は、拡散板３の、中央部分１１２１に対向する領域に光を照射するために形成されている。ただし、中央部分１１２１はＬＥＤチップ１１１ａに対向する部分であるので、ＬＥＤチップ１１１ａから出射される光の大半が中央部分１１２１に到達し、その大半の光がそのまま透過した場合、中央部分１１２１に対向する領域の照度が際立って大きくなる。そこで、中央部分１１２１の形状を、上記円錐の側面形状とすることが好ましい。上記円錐の側面形状とした場合、大半の光が中央部分１１２１で反射され、中央部分１１２１を透過する光は少なくなるので、中央部分１１２１に対向する領域の照度を抑えることができる。
【００５１】
上面１１２ａの第１湾曲部分１１２２は、中央部分１１２１の外周縁端部を取り巻き、その外周縁端部に連なる環状の曲面であり、この曲面は、ＬＥＤチップ１１１ａの光軸Ｓを中心として外方に向かうにつれて光軸Ｓ方向の一方（液晶パネル２に向かう方向）に延び、内方および光軸Ｓ方向の一方に凸となるように湾曲している。ここで、外周縁端部とは、光軸Ｓ方向に平面視したときに、光軸Ｓを中心として最外方となる部分であり、光軸Ｓのまわりを１周する部分である。第１湾曲部分１１２２は、反射領域とするために、曲面の形状が、ＬＥＤチップ１１１ａから出射された光が全反射するように設計される。
【００５２】
より詳細には、ＬＥＤチップ１１１ａから出射された光のうち、第１湾曲部分１１２２に到達した光は、第１湾曲部分１１２２で全反射した後、レンズの側面１１２ｂを透過し、反射部材１１８の主反射部１１８１へ向かう。主反射部１１８１に到達した光は、主反射部１１８１で拡散され、拡散光の一部は、拡散板３において、主反射部１１８１に対向する領域に照射される。また、拡散光の他の一部は、反射部材１１８の副反射部１１８２に向かい、副反射部１１８２で拡散され、拡散光は、拡散板３において、副反射部１１８２に対向する領域に照射される。このようにして、ＬＥＤチップ１１１ａに対向していない領域への照射光量を増加させることができる。
【００５３】
第１湾曲部分１１２２は、ＬＥＤチップ１１１ａから出射された光を全反射するために、ＬＥＤチップ１１１ａから出射された光の入射角度が、臨界角φ以上となるように形成される。たとえば、レンズ１１２の材質をアクリル樹脂とするとき、アクリル樹脂の屈折率は「１．４９」であり、空気の屈折率は「１」であるので、ｓｉｎφ＝１／１．４９となる。この式から、臨界角φは４２．１°となり、第１湾曲部分１１２２は、入射角度が４２．１°以上となる形状に形成される。また、たとえば、レンズ１１２の材質をシリコン樹脂とするとき、シリコン樹脂の屈折率は「１．４３」であり、空気の屈折率は「１」であるので、ｓｉｎφ＝１／１．４３となる。この式から、臨界角φは４４．４°となり、第１湾曲部分１１２２は、入射角度が４４．４°以上となる形状に形成される。
【００５４】
上面１１２ａの第２湾曲部分１１２３は、第１湾曲部分１１２２の外周縁端部に連なり、ＬＥＤチップ１１１ａの光軸Ｓを中心として外方に向かうにつれて光軸Ｓ方向の他方（液晶パネル２から離反する方向）に延び、外方および光軸Ｓ方向の一方に凸となるように湾曲した環状の曲面である。
【００５５】
ＬＥＤチップ１１１ａから出射された光のうち、第２湾曲部分１１２３に到達した光は、第２湾曲部分１１２３を透過するときに、発光部１１１に向かう方向に屈折して、拡散板３および反射部材１１８に向かう。反射部材１１８に到達した光は、拡散して拡散板３に向かう。このように第２湾曲部分１１２３により拡散板３へ向かう光は、拡散板３において、中央部分１１２１および第１湾曲部分１１２２により光が照射される領域とは異なる領域に主に照射され、これによって光量の補完が行われる。なお、第２湾曲部分１１２３は、光を透過する必要があるので、ＬＥＤチップ１１１ａから出射された光を全反射しないように、入射角度が４２．１°未満となる形状に形成される。
【００５６】
このように、レンズ１１２は、中央部分１１２１の外周縁端部に、ＬＥＤチップ１１１ａから出射された光をレンズ１１２の側面１１２ｂへ向けて全反射させる第１湾曲部分１１２２が形成され、その第１湾曲部分１１２２の外周縁端部に、ＬＥＤチップ１１１ａから出射された光を屈折させる第２湾曲部分１１２３が形成されている。ＬＥＤチップ１１１ａは一般的に指向性が強く、光軸Ｓ付近の光量が極めて大きく、光軸Ｓに対する光の出射角度が大きくなればなるほど光量が小さくなる。したがって、ＬＥＤチップ１１１ａの光軸Ｓ（すなわち、レンズ１１２の光軸）から比較的遠い領域への照射光量を大きくするためには、光軸Ｓに対する出射角度が大きな光を、この領域へ向けるのではなく、出射角度が小さな光を、この領域へ向ける必要がある。
【００５７】
本実施形態では、上記のように、光軸Ｓが通る中央部分１１２１の周囲に、上記の領域へ向けて光を全反射させる第１湾曲部分１１２２が隣接して形成されるので、上記の領域への照射光量を大きくすることができる。これに対して、仮に、中央部分１１２１の周囲に、第２湾曲部分１１２３を隣接させて形成し、その第２湾曲部分１１２３の周囲に、第１湾曲部分１１２２を隣接して形成した場合、第１湾曲部分１１２２へ向かう光の光軸Ｓに対する出射角度が大きくなり、その結果、第１湾曲部分１１２２で全反射されて上記の領域に照射される光の量は、少なくなってしまう。
【００５８】
図９は、ＬＥＤチップ１１１ａから出射された光の光路を模式的に示す図である。ＬＥＤチップ１１１ａから出射された光は、レンズ１１２に入射し、レンズ１１２で反射および屈折される。具体的には、レンズ１１２に入射した光のうち、中央部分１１２１に到達した光は、液晶パネル２に向けて矢符Ａ１方向などに出射され、第１湾曲部分１１２２に到達した光は、全反射して側面１１２ｂから矢符Ａ２方向などに出射され、第２湾曲部分１１２３に到達した光は、屈折して液晶パネル２に向けて矢符Ａ３方向などに出射される。
【００５９】
本実施形態では、ＬＥＤチップ１１１ａとレンズ１１２とは、レンズ１１２の中心（すなわち、レンズ１１２の光軸）がＬＥＤチップ１１１ａの光軸Ｓ上に位置し、レンズ１１２がＬＥＤチップ１１１ａに当接するように、予め高精度に位置合わせされて形成されている。このように、ＬＥＤチップ１１１ａとレンズ１１２とを、予め位置合わせして形成する方法としては、インサート成形や、所定の形状に成形されたレンズ１１２に基台１１１ｂに支持されたＬＥＤチップ１１１ａを嵌合させる方法などを挙げることができる。本実施形態では、ＬＥＤチップ１１１ａとレンズ１１２とは、インサート成形により、予め位置合わせされて形成されている。
【００６０】
インサート成形する際には、大きく分けて、上面金型と下面金型とを使用する。上面金型と下面金型とを合わせた際に形成される空間に、ＬＥＤチップ１１１ａを保持した状態で、レンズ１１２の原料となる樹脂を樹脂流入口から注入することにより成形する。なお、上面金型と下面金型とを合わせた際に形成される空間に、基台１１１ｂに支持されたＬＥＤチップ１１１ａを保持した状態で、レンズ１１２の原料となる樹脂を樹脂注入口から注入することにより成形するようにしてもよい。このように、ＬＥＤチップ１１１ａとレンズ１１２とをインサート成形により形成することによって、レンズ１１２がＬＥＤチップ１１１ａに当接するように、高精度に位置合わせすることができる。これによって、バックライトユニット１は、ＬＥＤチップ１１１ａから出射された光を、ＬＥＤチップ１１１ａに当接したレンズ１１２により、精度よく反射および屈折させることができるので、後述する図１１に示す、拡散板３からプリント基板１２までの距離Ｈ３（Ｈ３は、たとえば６ｍｍ）が小さい薄型化された液晶表示装置１００においても、面方向において強度が均一化された光を液晶パネル２に照射することができる。
【００６１】
次に、反射部材１１８について説明する。図１０は、液晶パネル２側から発光装置１１を平面視したときの一部を拡大して示す図である。図１１は、図２および図１０に示す線Ａ−Ａで切断したときの液晶表示装置１００の断面図である。図１２は、反射部材１１８の構成を示す断面図である。図１２（ａ）は、図２に示す線Ｂ−Ｂで切断したときの反射部材１１８の断面図を示し、図１２（ｂ）は、図２に示す線Ｃ−Ｃで切断したときの反射部材１１８の断面図を示す。
【００６２】
フレーム部材１３における底部１３１の縁端部に配置されている各発光部１１１の周囲に設けられる反射部材１１８の、底部１３１の縁端部に対応する部分（後述の副反射部１１８２の一部分）は、図１２に示すように、フレーム部材１３の側壁部１３２によって支持されている。側壁部１３２は、底部１３１に接続された端部とは反対側の端部が、外方に屈曲して形成されており（折り曲げられており）、この屈曲した部分に、反射部材１１８の一部分が載置されることによって、反射部材１１８が側壁部１３２に支持されている。
【００６３】
なお、側壁部１３２の屈曲した部分に反射部材１１８の一部分が載置された状態で、さらにその反射部材１１８の一部分の上に重なるように拡散板３の縁端部が載置され、これによって拡散板３が側壁部１３２によって支持される。なお、図１２では、フレーム部材１３の底部１３１と反射部材１１８との間に隙間が形成されているが、この隙間は、プリント基板１２の厚みに相当するものである。
【００６４】
反射部材１１８は、ＬＥＤチップ１１１ａから出射される光に対して高い反射率、理想的には１００％の反射率を有する部材である。本実施形態では、反射部材１１８は白色であり、ＬＥＤチップ１１１ａから出射される光に対して９５％〜９８％の全反射率を有する。反射部材１１８を構成する材料自身の反射率は、ＪＩＳ  Ｋ  ７３７５に準拠して測定することができる。
【００６５】
反射部材１１８は、高輝性ＰＥＴ（Polyethylene Terephthalate）、アルミニウムなどからなる。高輝性ＰＥＴとは、蛍光剤を含有した発泡性ＰＥＴであり、たとえば、東レ株式会社製のＥ６０Ｖ（商品名）などを挙げることができる。反射部材１１８は、Ｘ方向に平面視したときの外形状が多角形状、たとえば略正方形状であり、この正方形状の１辺の長さを５５ｍｍとするとき、隣接する反射部材１１８の中心間の間隔は、たとえば５５ｍｍ〜５８ｍｍである。
【００６６】
反射部材１１８の主反射部１１８１は、厚みが０．１ｍｍ〜０．５ｍｍの平板状部材であり、Ｘ方向に平面視したときの外形状は多角形状、たとえば正方形状である。主反射部１１８１は、プリント基板１２上において、ＬＥＤチップ１１１ａの光軸Ｓに垂直な方向に延在して設けられ、Ｘ方向に平面視したときの正方形状の各辺が、複数のＬＥＤチップ１１１ａの配列方向（マトリクス状の配列における行方向または列方向）と平行になるように形成される。
【００６７】
主反射部１１８１は、Ｘ方向に平面視したときに、中央部に円形状の開口部が設けられる。この円形状の開口部の直径の長さは、ＬＥＤチップ１１１ａを被覆するレンズ１１２の直径の長さＬ２と同程度の１０ｍｍ〜１３ｍｍであり、プリント基板１２にレンズ１１２を含む発光部１１１が実装された後、反射部材１１８をプリント基板１２上に設置する際、この開口部に発光部１１１が挿通される。
【００６８】
反射部材１１８の副反射部１１８２は、厚みが０．１ｍｍ〜０．５ｍｍの矩形平板状部材であり、主反射部１１８１の４つの辺部分にそれぞれ連なって設けられる。ここで、主反射部１１８１の辺部分とは、主反射部１１８１をＸ方向に平面視したときに正方形状の主反射部１１８１の外周縁端部となる部分である。正方形状の主反射部１１８１の外周縁端部とは、光軸Ｓ方向（Ｘ方向）に平面視したときに、光軸Ｓのまわりを１周する部分であり、光軸Ｓを中心として光軸Ｓに垂直な各方向において最外方となる所定の幅の部分である。所定の幅とは、たとえば、正方形状の主反射部１１８１の１辺の長さの１％〜１０％の幅である。
【００６９】
各副反射部１１８２の主面は、ＬＥＤチップ１１１ａの光軸Ｓ方向に垂直な方向において主反射部１１８１から離れるにつれて光軸Ｓ方向においてプリント基板１２から遠ざかり、拡散板３へ向かうように、傾斜して延びて形成される。各副反射部１１８２は、主反射部１１８１のそれぞれ異なる辺部分に設けられるので、各副反射部１１８２は、それぞれ異なる方向に傾斜することになる。光軸Ｓに対する各副反射部１１８２の傾斜角度θ１および傾斜角度θ２は、０°以上９０°未満の範囲内で適宜設定することができる。
【００７０】
図１１および図１２に示すように、隣接する発光装置１１同士において、隣接する副反射部１１８２は、接しており、逆Ｖ字状を形成している。前記逆Ｖ字状とは、副反射部１１８２が接続される主反射部１１８１の辺部分に垂直で、光軸Ｓに平行に切断したときの断面が逆Ｖ字状であることを示す。
【００７１】
反射部材１１８の高さＨ２は、たとえば１ｍｍ〜５ｍｍであり、本実施形態では、１．５ｍｍである。ここで、高さＨ２は、副反射部１１８２の、Ｘ方向において主反射部１１８１の表面から最も離間した部分と、主反射部１１８１の表面との、Ｘ方向における距離である。
【００７２】
上記のように構成され、複数の発光装置１１にそれぞれ備えられる反射部材１１８は、互いに一体的に成形されるのが好ましい。複数の反射部材１１８を一体成形する方法としては、反射部材１１８が発泡性ＰＥＴにより構成されている場合には押出し成型加工を挙げることができ、反射部材１１８がアルミニウムにより構成されている場合にはプレス加工を挙げることができる。このように、複数の発光装置１１にそれぞれ備えられる反射部材１１８を一体成形することによって、各発光部１１１の、各反射部材１１８に対する配置位置の精度を向上することができ、その結果、反射部材１１８によって、被照射体の輝度が面方向においてより均一となるように光を反射することができる。また、反射部材１１８を一体成形することにより、バックライトユニット１の組立作業時に、反射部材１１８を取り付ける作業数を低減することができるので、組立作業の効率を向上することができる。
【００７３】
複数の反射部材１１８が一体成形される場合、上記の逆Ｖ字状を形成する副反射部１１８２同士が連なって設けられる。また、本実施形態では、副反射部１１８２以外の部分においても反射部材１１８同士は接続される。
【００７４】
本実施形態では、隣接する発光装置１１同士（隣接する反射部材１１８同士）において、上記の逆Ｖ字状を形成する副反射部１１８２同士（副反射部１１８２の互いに対向する領域部分同士）は、フレーム部材１３における底部１３１の中央部に対して近い側の副反射部１１８２（中央部近接側副反射部）よりも、底部１３１の中央部に対して遠い側の副反射部１１８２（中央部離反側副反射部）が、光軸Ｓ方向に投影したときの投影面積（被照射体に投影したときの投影面積）が大きくなるように設定されている。
【００７５】
ここで、フレーム部材１３における底部１３１の中央部とは、底部１３１の中心近傍に位置する発光装置１１（図１０において斜線が付与された発光装置１１）に対応する、底部１３１の領域部分である。底部１３１の中心近傍に位置する発光装置１１とは、マトリクス状の配列における行方向（底部１３１の短辺方向に平行な方向）に１４個、列方向（底部１３１の長辺方向に平行な方向）に２４個配置される発光装置１１のうち、底部１３１の短辺方向の一方の縁端部から７個目であり、かつ底部１３１の長辺方向の一方の縁端部から１２個目の発光装置１１と、底部１３１の短辺方向の一方の縁端部から７個目であり、かつ底部１３１の長辺方向の他方の縁端部から１２個目の発光装置１１と、底部１３１の短辺方向の他方の縁端部から７個目であり、かつ底部１３１の長辺方向の一方の縁端部から１２個目の発光装置１１と、底部１３１の短辺方向の他方の縁端部から７個目であり、かつ底部１３１の長辺方向の他方の縁端部から１２個目の発光装置１１との、合計４個の発光装置１１である。
【００７６】
また、たとえば、マトリクス状の配列における行方向に１４個、列方向に２５個の発光装置１１が配置されている場合には、底部１３１の短辺方向の両縁端部から７個目であり、かつ底部１３１の長辺方向の両縁端部から１３個目の、合計２個の発光装置１１が、底部１３１の中心近傍に位置する発光装置１１となる。また、たとえば、マトリクス状の配列における行方向に１５個、列方向に２５個の発光装置１１が配置されている場合には、底部１３１の短辺方向の両縁端部から８個目であり、かつ底部１３１の長辺方向の両縁端部から１３個目の、１個の発光装置１１が、底部１３１の中心近傍に位置する発光装置１１となる。
【００７７】
本実施形態では、隣接する発光装置１１同士において、上記の逆Ｖ字状を形成する副反射部１１８２同士の、光軸Ｓ方向に投影したときの投影面積は、副反射部１１８２の光軸Ｓに対する傾斜角度θ１および傾斜角度θ２の大きさによって調整することができる。
【００７８】
具体的には、隣接する発光装置１１同士における、上記の逆Ｖ字状を形成する副反射部１１８２同士において、底部１３１の中央部に対して近い側の副反射部１１８２（中央部近接側副反射部）の、光軸Ｓに対する傾斜角度θ２よりも、底部１３１の中央部に対して遠い側の副反射部１１８２（中央部離反側副反射部）の、光軸Ｓに対する傾斜角度θ１の方が、大きくなるように設定されている。
【００７９】
この場合には、たとえば、全ての副反射部１１８２の高さＨ２が３ｍｍの同じ値に設定され、中央部近接側副反射部の傾斜角度θ２が１０°〜２０°の範囲内において同じ値（たとえば１０°）に設定され、中央部離反側副反射部の傾斜角度θ１が４５°〜６０°の範囲内において同じ値（たとえば４５°）に設定される。なお、底部１３１の中心近傍に位置する発光装置１１に備えられる反射部材１１８の副反射部１１８２の、光軸Ｓに対する傾斜角度は、中央部近接側副反射部の傾斜角度θ２と同じ値に設定される。
【００８０】
本実施形態のバックライトユニット１では、隣接する発光装置１１同士において、上記の逆Ｖ字状を形成する副反射部１１８２同士の、光軸Ｓ方向に投影したときの投影面積が、中央部近接側副反射部よりも、中央部離反側副反射部の方が大きいので、各発光部１１１に対応する反射部材１１８によって反射される光の量は、中央部近接側副反射部に対応する反射部材１１８よりも、中央部離反側副反射部に対応する反射部材１１８の方が多くなる。
【００８１】
したがって、各発光部１１１に対応する各反射部材１１８によって反射されて拡散板３を介して液晶パネル２に到達する光の量が、液晶パネル２の面方向において、１つの発光部１１１に対して隣接する発光部１１１の数の少ない端部が中央部よりも少なくなることを抑制することができる。すなわち、各発光部１１１に対応する各反射部材１１８によって反射されて液晶パネル２に到達する光の量を、液晶パネル２の面方向において均一にすることができ、その結果、液晶パネル２の面方向における輝度を均一にすることができる。
【００８２】
図１３は、反射部材の他の例である反射部材１１８Ａの構成を示す断面図である。反射部材１１８Ａにおける副反射部１１８２Ａの光軸Ｓに対する傾斜角度θ１および傾斜角度θ２は、フレーム部材１３における底部１３１の中央部から外周縁端部に向かうにつれて、段階的に大きくなるように設定されている。換言すれば、反射部材１１８Ａにおける副反射部１１８２Ａの前記投影面積は、底部１３１の中央部から外周縁端部に向かうにつれて、段階的に大きくなるように設定されている。なお、本実施形態では、フレーム部材１３における底部１３１にマトリクス状に配置される複数の発光装置１１において、それぞれの発光部１１１は、プリント基板１２を介して底部１３１に等間隔に整列配置されている。そのため、反射部材１１８Ａにおける副反射部１１８２の前記投影面積が上記のように設定されていることに対応して、反射部材１１８Ａにおける主反射部１１８１Ａの、光軸Ｓ方向に投影したときの投影面積は、底部１３１の中央部から外周縁端部に向かうにつれて、段階的に小さくなるように設定されている。
【００８３】
具体的には、隣接する発光装置１１同士における、上記の逆Ｖ字状を形成する副反射部１１８２Ａ同士において、フレーム部材１３における底部１３１の中央部に対して近い側の副反射部１１８２Ａ（中央部近接側副反射部）の、光軸Ｓに対する傾斜角度θ２は、底部１３１の中央部から外周縁端部に向かうにつれて、段階的に大きくなるように設定され、底部１３１の中央部に対して遠い側の副反射部１１８２Ａ（中央部離反側副反射部）の、光軸Ｓに対する傾斜角度θ１も、底部１３１の中央部から外周縁端部に向かうにつれて、段階的に大きくなるように設定されている。
【００８４】
この場合には、全ての副反射部１１８２Ａの高さＨ２が３ｍｍの同じ値に設定され、底部１３１の中心近傍に位置する発光装置１１に備えられる反射部材１１８Ａの副反射部１１８２Ａの、光軸Ｓに対する傾斜角度が、１０°〜２０°の範囲内の値（たとえば１０°）に設定される。そして、図１３（ａ）に示すように、底部１３１の長辺方向において、中央部近接側副反射部の光軸Ｓに対する傾斜角度θ２は、底部１３１の中央部から外周縁端部に向かって順番に、１０°〜２０°の範囲内で段階的に大きくなるように設定される。このとき、底部１３１の中心近傍に位置する発光装置１１に隣接する発光装置１１に備えられる反射部材１１８Ａに対応する中央部近接側副反射部の傾斜角度θ２が、１０°に設定され、底部１３１の最外周縁端部に位置する発光装置１１に備えられる反射部材１１８Ａに対応する中央部近接側副反射部の傾斜角度θ２が、２０°に設定される。
【００８５】
底部１３１の長辺方向において、中央部離反側副反射部の光軸Ｓに対する傾斜角度θ１は、底部１３１の中央部から外周縁端部に向かって順番に、４５°〜５５°の範囲内で段階的に大きくなるように設定される。このとき、底部１３１の中心近傍に位置する発光装置１１に備えられる反射部材１１８Ａの副反射部１１８２Ａに隣接する中央部離反側副反射部の傾斜角度θ１が、４５°に設定され、底部１３１の最外周縁端部に位置する発光装置１１に備えられる反射部材１１８Ａに対応する中央部離反側副反射部の傾斜角度θ１が、５５°に設定される。
【００８６】
また、図１３（ｂ）に示すように、底部１３１の短辺方向において、中央部近接側副反射部の光軸Ｓに対する傾斜角度θ２は、底部１３１の中央部から外周縁端部に向かって順番に、１０°〜１６°の範囲内で段階的に大きくなるように設定される。このとき、底部１３１の中心近傍に位置する発光装置１１に隣接する発光装置１１に備えられる反射部材１１８Ａに対応する中央部近接側副反射部の傾斜角度θ２が、１０°に設定され、底部１３１の最外周縁端部に位置する発光装置１１に備えられる反射部材１１８Ａに対応する中央部近接側副反射部の傾斜角度θ２が、１６°に設定される。
【００８７】
底部１３１の短辺方向において、中央部離反側副反射部の光軸Ｓに対する傾斜角度θ１は、底部１３１の中央部から外周縁端部に向かって順番に、４５°〜５１°の範囲内で段階的に大きくなるように設定される。このとき、底部１３１の中心近傍に位置する発光装置１１に備えられる反射部材１１８Ａの副反射部１１８２Ａに隣接する中央部離反側副反射部の傾斜角度θ１が、４５°に設定され、底部１３１の最外周縁端部に位置する発光装置１１に備えられる反射部材１１８Ａに対応する中央部離反側副反射部の傾斜角度θ１が、５１°に設定される。
【００８８】
このように、隣接する発光装置１１同士における、上記の逆Ｖ字状を形成する副反射部１１８２Ａ同士において、中央部近接側副反射部の光軸Ｓに対する傾斜角度θ２、および、中央部離反側副反射部の光軸Ｓに対する傾斜角度θ１を、底部１３１の中央部から外周縁端部に向かうにつれて段階的に大きくなるように設定することによって、各発光部１１１に対応する各反射部材１１８Ａによって反射されて拡散板３を介して液晶パネル２に到達する光の量を、液晶パネル２の面方向においてより効果的に均一にすることができ、その結果、液晶パネル２の面方向における輝度を均一にすることができる。
【符号の説明】
【００８９】
１  バックライトユニット
２  液晶パネル
３  拡散板
１１  発光装置
１２  プリント基板
１３  フレーム部材
１００  液晶表示装置
１１１  発光部
１１８，１１８Ａ  反射部材
１１８１，１１８１Ａ  主反射部
１１８２，１１８２Ａ  副反射部
【図１】
0005999984.tif 000002
【図２】
0005999984.tif 000003
【図３】
0005999984.tif 000004
【図４】
0005999984.tif 000005
【図５】
0005999984.tif 000006
【図６】
0005999984.tif 000007
【図７】
0005999984.tif 000008
【図８】
0005999984.tif 000009
【図９】
0005999984.tif 000010
【図１０】
0005999984.tif 000011
【図１１】
0005999984.tif 000012
【図１２】
0005999984.tif 000013
【図１３】
0005999984.tif 000014